(57)【要約】【課題】本発明は、テスト信号発生装置に関し、種々の映像機器の評価に利用して、従来に比して種々に映像機器を評価することができるようにする。【解決手段】本発明は、個別に要素Ｙ１、Ｙ２、Ｙ３毎に動きの設定を受け付け、この設定に従って複数の要素Ｙ１、Ｙ２、Ｙ３を同時に表示するようにビデオ信号を生成する。【選択図】        図１
2007281903.tif 000002
【特許請求の範囲】
【請求項１】
テスト用のビデオ信号を生成して出力するテスト信号発生装置において、
前記テスト用のビデオ信号を生成するビデオ信号生成部と、
ユーザーによる設定を受け付け、該受け付けた設定に従って前記ビデオ信号生成部を制御する制御部とを備え、
前記制御部は、
個別に動きの設定を受け付けて複数の要素の設定を受け付け、
前記テスト用のビデオ信号において、該設定された動きによりそれぞれ移動させて前記複数の要素を同時に表示するように、前記ビデオ信号生成部を制御する
ことを特徴とするテスト信号発生装置。
【発明の詳細な説明】
【技術分野】
【０００１】
本発明は、テスト信号発生装置に関し、種々の映像機器の評価に利用することができる。本発明は、個別に要素毎に動きの設定を受け付け、この設定に従って複数の要素を同時に表示することにより、従来に比して種々に映像機器を評価することができるようにする。
【背景技術】
【０００２】
従来、映像機器は、テスト信号発生装置から出力されるテスト用のビデオ信号を使用して特性を種々に評価していた。また近年、映像機器では、動きベクトルを用いて符号化処理、フォーマット変換処理、ノイズ低減処理等を実行しており、この動きベクトルの検出には、例えば特開昭５５−１６２６８３号公報、特開昭５５−１６２６８４号公報等に提案のパターンマッチング法、特開昭６０−１５８７８６号公報に提案の反復勾配法等が使用されている。
【０００３】
ところでこのような動きベクトルを用いたビデオ信号の処理に関しても、種々に特性を評価することが求められる。しかしながら実際の映像では、複数の物体が異なる動きを呈している場合もあり、このような場合に、従来のテスト信号発生装置で発生させたテスト信号では、適切に特性を評価できない問題があった。なおこのような複数の物体が異なる動きを呈している場合は、例えば映画のスタッフロールの様に上下方向にスクロールする背景の前に、字幕のように水平方向に物体がスクロールする場面、移動する列車を追跡するように撮影して、この列車の上を人物が移動している場面等である。
【０００４】
この問題を解決する１つの方法として、このような問題となる場面の映像をビデオテープレコーダ等に記録して保持し、この記録を再生して評価する方法が考えられる。しかしながらこのような方法では、定量的に特性を評価できない問題がある。また動きを種々に設定できない欠点もある。
【特許文献１】特開昭５５−１６２６８３号公報
【特許文献２】特開昭５５−１６２６８４号公報
【特許文献３】特開昭６０−１５８７８６号公報
【特許文献４】特開２００５−２４４３９０号公報
【発明の開示】
【発明が解決しようとする課題】
【０００５】
本発明は以上の点を考慮してなされたもので、従来に比して種々に映像機器を評価することができるテスト信号発生装置を提案しようとするものである。
【課題を解決するための手段】
【０００６】
上記の課題を解決するため請求項１の発明は、テスト用のビデオ信号を生成して出力するテスト信号発生装置に適用して、前記テスト用のビデオ信号を生成するビデオ信号生成部と、ユーザーによる設定を受け付け、該受け付けた設定に従って前記ビデオ信号生成部を制御する制御部とを備え、前記制御部は、個別に動きの設定を受け付けて複数の要素の設定を受け付け、前記テスト用のビデオ信号において、該設定された動きによりそれぞれ移動させて前記複数の要素を同時に表示するように、前記ビデオ信号生成部を制御する。
【０００７】
請求項１の構成によれば、複数の要素を個別に設定した動きにより移動させて、これら複数の要素を同時に表示することができる。従って複数の物体が異なる動きを呈している場面についても、評価することができる。また定量的に種々の動きを設定することができ、定量的に特性を評価することができる。これにより従来に比して種々に映像機器を評価することができる。
【発明の効果】
【０００８】
本発明によれば、従来に比して種々に映像機器を評価することができる。
【発明を実施するための最良の形態】
【０００９】
以下、適宜図面を参照しながら本発明の実施例を詳述する。
【実施例１】
【００１０】
（１）従来の構成
図２は、本発明の実施例に係るテスト信号発生装置を示すブロック図である。このテスト信号発生装置１において、画像合成回路２は、制御回路３の制御により画像合成して画像データを出力し、ビデオ信号出力回路４は、この画像合成回路２から出力される画像データからテスト用ビデオ信号ＳＶを生成して出力する。操作部５は、このビデオ信号出力回路４から出力するテスト用ビデオ信号ＳＶの設定等を入力する各種操作子である。
【００１１】
制御回路３は、このテスト信号発生装置１の動作を制御する制御手段であり、操作部５の操作によりテスト用ビデオ信号ＳＶの設定を受け付ける。またこの受け付けた設定によるテスト用ビデオ信号ＳＶを出力するように、画像合成回路２の動作を制御する。このテスト信号発生装置１は、この制御回路３における設定の受け付けにおいて、テスト用ビデオ信号ＳＶについて複数の要素の設定を受け付け、さらには各要素の動きの設定を受け付ける。ここで要素は、ビデオ信号ＳＶにおける動画において、１つの動きを呈する１つのまとまりである。図１（Ａ）において符号Ｙ１及びＹ２により示すように、要素は、四角形形状、丸円形形状等の特定形状の場合の他に、符号Ｙ３により示すように、文字列も含まれる。
【００１２】
ここで図３は、この制御回路３の処理手順を示すフローチャートである。制御回路３は、ユーザーによる操作部５の操作によりこの処理手順を開始してステップＳＰ１からステップＳＰ２に移る。ここで制御部３は、ビデオ信号ＳＶにより表示する１つの要素の設定を受け付ける。具体的に制御部３は、特定形状、文字列等の要素の種類の設定を受け付け、また大きさ、色彩、輝度レベル等の設定を受け付ける。またこの要素の初期表示位置、移動方向、移動速度、表示に供するレイヤーの設定を受け付ける。
【００１３】
続いて制御回路３は、ステップＳＰ３において、次の要素の設定をユーザーが指示したか否か判断し、ここでユーザーが操作部５を操作して次の要素の設定を指示した場合、ステップＳＰ３からステップＳＰ２に戻り、次の要素について同様の設定を受け付ける。これにより図１（Ａ）の例では、制御回路３は、ユーザーの操作に応動してステップＳＰ２−ＳＰ３−ＳＰ２の処理手順を繰り返し、順次要素Ｙ１、Ｙ２、Ｙ３の設定を受け付ける。
【００１４】
これに対してユーザーによる操作部５の操作により、要素の設定が完了すると、ステップＳＰ３からステップＳＰ４に移り、ユーザーによりビデオ信号ＳＶの出力開始が指示されたか否か判断する。ここで否定結果が得られると、制御回路３は、ステップＳＰ３に戻る。これにより制御回路３は、ステップＳＰ３−ＳＰ４−ＳＰ３の処理手順を繰り返してユーザーの指示を待機し、ユーザーがビデオ信号ＳＶの出力開始を指示すると、ステップＳＰ４からステップＳＰ５に移る。
【００１５】
このステップＳＰ５において、制御回路５は、ユーザーにより設定された各要素、初期表示位置、動き、レイヤーにより画像合成するように画像合成回路２の動作を制御し、この画像合成回路２で画像合成したビデオ信号ＳＶを出力する。これにより例えば図１（Ａ）に示すように、長方形の要素Ｙ１、円形形状の要素Ｙ２、文字列の要素Ｙ３をユーザーが設定している場合には、これらの要素Ｙ１〜Ｙ３による合成画像の生成を画像合成回路２に指示し、この合成画像のビデオ信号ＳＶを出力する。またこれら各要素Ｙ１〜Ｙ３がそれぞれ外周方向に移動するようにユーザーが設定している場合には、図１（Ａ）との対比により図１（Ｂ）により示すように、ユーザーの設定した移動速度でこれらの要素Ｙ１〜Ｙ３が外周方向に徐々に移動するように、ビデオ信号ＳＶを生成して出力する。またこれらの要素Ｙ１〜Ｙ３が連動して移動するようにユーザーが指示している場合には、図１（Ａ）との対比により図１（Ｃ）に示すように、これらの要素Ｙ１〜Ｙ３がまとまってユーザーの指示した方向に移動するようにビデオ信号ＳＶを生成する。
【００１６】
このようにしてビデオ信号ＳＶを出力して、ユーザーにより指示された期間だけビデオ信号を出力すると、制御回路３は、ステップＳＰ５からステップＳＰ６に移り、ユーザーが繰り返しの出力を指示したか否か判断し、ここで肯定結果が得られると、ステップＳＰ６からステップＳＰ５に戻り、再度ビデオ信号ＳＶを出力するように全体の動作を制御する。これに対してステップＳＰ６で否定結果が得られると、ステップＳＰ６からステップＳＰ７に移ってこの処理手順を終了する。
【００１７】
（２）実施例の動作
以上の構成において、このテスト信号発生装置１では、操作部５の操作に従って制御回路３でテスト用ビデオ信号ＳＶの設定が受け付けられ、この設定に従って制御回路３で画像合成回路２の動作が制御され、この画像合成回路２で画像合成された画像がテスト用ビデオ信号ＳＶにより出力される。
【００１８】
このテスト信号発生装置１では、この制御回路３における設定の受け付けが、ビデオ信号ＳＶにより表示する要素Ｙ１〜Ｙ３毎に、個別に、初期表示位置、移動方向、移動速度、表示に供するレイヤー等について実行される。またこの個別の設定により各要素を同時に表示して順次各要素が移動するように、ビデオ信号ＳＶが生成される。
【００１９】
これによりこのテスト信号発生装置１では、個別に設定した動きにより複数の要素を移動させて、これら複数の要素を同時に表示することができ、複数の物体が異なる動きを呈している場面についても、適切に評価することができる。すなわち例えば映画のスタッフロールの様に上下方向にスクロールする背景の前に、字幕のように水平方向に物体がスクロールする場面については、１つの要素が上下方向にゆっくりと移動するようにして、その前方を他の要素が水平方向にゆっくりと移動するようにビデオ信号ＳＶを生成して、映像装置の特性を評価することができる。また例えば移動する列車を追跡するように撮影して、この列車の上を人物が移動している場面の評価については、第１の要素の後方を第２の要素が高速度で移動するようにして、さらに第１の要素の前方を第３の要素がゆっくりと移動するようにビデオ信号ＳＶを生成して、映像機器の特性を評価することができる。
【００２０】
またこれらの各要素については、移動速度を種々に設定できることから、定量的に移動速度、移動方向を設定して映像装置を評価することができ、これにより一段と適切に映像装置を評価することができる。
【００２１】
（３）実施例の効果
以上の構成によれば、個別に動きを設定可能な複数の要素を同時に表示することにより、従来に比して種々に映像機器を評価することができる。
【実施例２】
【００２２】
なお上述の実施例においては、背景については、特に処理しない場合について述べたが、本発明はこれに限らず、併せて背景について、移動速度、移動方向の設定を受け付け、この設定に従って背景を移動させるようにしてもよい。
【産業上の利用可能性】
【００２３】
本発明は、種々の映像機器の評価に利用することができる。
【図面の簡単な説明】
【００２４】
【図１】本発明の実施例に係るテスト信号発生装置によるビデオ信号の説明に供する平面図である。
【図２】本発明の実施例に係るテスト信号発生装置を示すブロック図である。
【図３】図２のテスト信号発生装置における制御回路の処理手順を示すフローチャートである。
【符号の説明】
【００２５】
１……テスト信号発生装置、２……画像合成回路、３……制御部、４……ビデオ信号出力回路、５……操作部
【図１】
2007281903.tif 000003
【図２】
2007281903.tif 000004
【図３】
2007281903.tif 000005